(57)【特許請求の範囲】
【請求項１】
電子機器であって、
交流電源から供給される交流電力を直流電力に変換する変換手段と、
前記変換手段により変換された直流電力で充電される電池と、
前記変換手段により変換された直流電力が供給される制御手段と、
前記制御手段によって実行されるプログラムが格納され、前記変換手段により変換された直流電力又は前記電池に充電された電力が供給される記憶手段と、
前記電子機器を省電力状態に移行させる指示を受信した場合に、前記記憶手段に前記電池から電力が供給されるように制御すると共に、前記変換手段から前記制御手段への電力供給が停止されるように制御する電力制御手段と、を備え、
前記制御手段は、前記変換手段からの電力供給が停止される前に、前記制御手段の内部レジスタの値を前記記憶手段に記憶すると共に、前記記憶手段がリフレッシュモードになるように制御する、ことを特徴とする電子機器。
【請求項２】
前記制御手段は、ＣＰＵである、ことを特徴とする請求項１に記載の電子機器。
【請求項３】
前記記憶手段は、ＤＲＡＭである、ことを特徴とする請求項１又は２に記載の電子機器。
【請求項４】
前記電力制御手段は、前記電子機器を前記省電力状態に移行させる指示を受信した場合に、前記電力制御手段に前記電池から電力が供給されるように制御する、ことを特徴とする請求項１乃至３の何れか１項に記載の電子機器。
【請求項５】
外部装置とのデータの送受信を制御するネットワーク制御手段をさらに備え、
前記電力制御手段は、前記電子機器を前記省電力状態に移行させる指示を受信した場合に、前記ネットワーク制御手段への電力供給が停止されるように制御する、ことを特徴とする請求項１乃至４の何れか１項に記載の電子機器。
【請求項６】
前記電池は、前記記憶手段及び前記ネットワーク制御手段に電力を供給する、ことを特徴とする請求項５に記載の電子機器。
【請求項７】
前記電池と前記記憶手段との間に配置される第１スイッチと、
前記電池と前記ネットワーク制御手段との間に配置される第２スイッチと、をさらに備え、
前記電力制御手段は、前記第１スイッチ及び前記第２スイッチをオン又はオフに切り替える、ことを特徴とする請求項５又は６に記載の電子機器。
【請求項８】
前記電池と前記電力制御手段との間に配置される第３スイッチをさらに備え、
前記電力制御手段は、前記第３スイッチをオン又はオフに切り替える、ことを特徴とする請求項１乃至７の何れか１項に記載の電子機器。
【請求項９】
制御プログラムを記憶する不揮発性メモリをさらに備え、
前記制御手段は、
前記電子機器の電源オフ状態からの復帰指示を受信した場合に、前記不揮発性メモリから前記制御プログラムを読み出して前記記憶手段に展開し、前記記憶手段に展開された前記制御プログラムを実行し、
前記省電力状態からの復帰指示を受信した場合に、前記記憶手段に展開された前記制御プログラムを実行する、ことを特徴とする請求項１乃至８の何れか１項に記載の電子機器。
【請求項１０】
前記制御手段は、前記電子機器が備える電源スイッチを押下する時間が所定時間以上の場合に前記電子機器を電源オフ状態に移行させ、前記電源スイッチを押下する時間が前記所定時間未満の場合に前記電子機器を前記省電力状態に移行させる、ことを特徴とする請求項９に記載の電子機器。
【請求項１１】
前記電源スイッチが押下されたときに移行するべき電力状態を複数の電力状態の中から選択するための選択画面を表示する表示手段をさらに備える、ことを特徴とする請求項１０に記載の電子機器。
【請求項１２】
前記電力制御手段は、前記電子機器を前記省電力状態に移行させる指示を受信した場合に、前記記憶手段への電力の供給元を、前記変換手段から前記電池に切り替える、ことを特徴とする請求項１乃至１１の何れか１項に記載の電子機器。
【請求項１３】
前記変換手段と前記記憶手段との間に配置される第４スイッチをさらに備え、
前記電力制御手段は、前記電子機器を前記省電力状態に移行させる指示を受信した場合に、前記第４スイッチをオフにすると共に、前記第１スイッチをオンにする、ことを特徴とする請求項７に記載の電子機器。
【請求項１４】
前記電子機器は、用紙に画像を印刷する印刷手段を備える印刷装置である、ことを特徴とする請求項１乃至１３の何れか１項に記載の電子機器。
【請求項１５】
交流電源から供給される交流電力を直流電力に変換する変換手段と、
前記変換手段により変換された直流電力で充電される電池と、
前記変換手段により変換された直流電力が供給される制御手段と、
前記制御手段によって実行されるプログラムが格納され、前記変換手段により変換された直流電力又は前記電池に充電された電力が供給される記憶手段と、を備える電子機器の制御方法であって、
前記電子機器を省電力状態に移行させる指示を受信した場合に、前記記憶手段に前記電池から電力が供給されるように制御すると共に、前記変換手段から前記制御手段への電力供給が停止されるように制御する電力制御ステップと、
前記変換手段からの電力供給が停止される前に、前記制御手段の内部レジスタの値を前記記憶手段に記憶すると共に、前記記憶手段がリフレッシュモードになるように制御する制御ステップと、
を備えることを特徴とする制御方法。
【請求項１６】
交流電源から供給される交流電力を直流電力に変換する変換手段と、
前記変換手段により変換された直流電力で充電される電池と、
前記変換手段により変換された直流電力が供給される制御手段と、
前記制御手段によって実行されるプログラムが格納され、前記変換手段により変換された直流電力又は前記電池に充電された電力が供給される記憶手段と、を備える電子機器の制御方法をコンピュータに実行させるためのプログラムであって、
前記制御方法は、
前記電子機器を省電力状態に移行させる指示を受信した場合に、前記記憶手段に前記電池から電力が供給されるように制御すると共に、前記変換手段から前記制御手段への電力供給が停止されるように制御する電力制御ステップと、
前記変換手段からの電力供給が停止される前に、前記制御手段の内部レジスタの値を前記記憶手段に記憶すると共に、前記記憶手段がリフレッシュモードになるように制御する制御ステップと、
を備えることを特徴とするプログラム。
【発明の詳細な説明】
【技術分野】
【０００１】
本発明は、電子機器及びその制御方法、並びにプログラムに関する。
【背景技術】
【０００２】
近年の一般的な印刷装置（プリンタ、複合機等）は、プリント等の動作状態が終了してからある程度の時間が経過する等の所定の条件が満たされると、消費電力が少ない省電力モードに移行し、消費電力を低減している。
【０００３】
さらに、省電力モード時にさらに消費電力を低減させるために、２次電池（充電可能なバッテリ）を用いて、省電力モード時にこの２次電池の電力を使用することで省電力モード時における省電力化の提案がなされている（例えば、特許文献１参照）。
【先行技術文献】
【特許文献】
【０００４】
【特許文献１】特開２００７−６２２４３号公報
【発明の概要】
【発明が解決しようとする課題】
【０００５】
特許文献１に開示された技術では、省電力モード時に全ての電力を２次電池により供給する構成をとっている。また、印刷装置は、２次電池の充電に使用する電源を含み、装置を制御及び動作させるための電源は、直流電源で動作するため、電源回路によって、商用電源（１００Ｖ〜２３０Ｖの交流電源）を２．５Ｖ、３．３Ｖ、１２Ｖ等の低電圧の直流電源に変換している。
【０００６】
そしてこの交流／直流変換時の変換効率は一定ではなく、一般的には、電力消費量が小さくなるに従って、変換効率が悪くなってしまう性質を持っている。
【０００７】
また２次電池に関しては、充電時と放電時に多少の電力損失があり、充電時に必要とする電力に比べて放電時に取り出せる電力が減少してしまうという性質を持っている。
【０００８】
従って、特許文献１に開示された技術では、省電力モード時に全ての電力を供給できるだけの大容量の２次電池を必要とするため装置が高価となってしまう。
【０００９】
また、消費電力量（交流／直流変換時の変換効率）に関わらずに２次電池の電力を使用するため、充電時を含めた総合的な電力消費量は必ずしも減少しない。
【００１０】
さらに、ネットワーク等の全ての通信機能を常に稼働させているため、通信機能が不要の場合、そこで消費する電力が無駄になってしまう。
【００１１】
本発明の目的は、交流電源及び２次電池を併用する電子機器における消費電力を低減させた電子機器及びその制御方法、並びにプログラムを提供することにある。
【課題を解決するための手段】
【００１２】
上記目的を達成するために、請求項１の電子機器は、電子機器であって、交流電源から供給される交流電力を直流電力に変換する変換手段と、前記変換手段により変換された直流電力で充電される電池と、前記変換手段により変換された直流電力が供給される制御手段と、前記制御手段によって実行されるプログラムが格納され、前記変換手段により変換された直流電力又は前記電池に充電された電力が供給される記憶手段と、前記電子機器を省電力状態に移行させる指示を受信した場合に、前記記憶手段に前記電池から電力が供給されるように制御すると共に、前記変換手段から前記制御手段への電力供給が停止されるように制御する電力制御手段と、を備え、前記制御手段は、前記変換手段からの電力供給が停止される前に、前記制御手段の内部レジスタの値を前記記憶手段に記憶すると共に、前記記憶手段がリフレッシュモードになるように制御する、ことを特徴とする。
【発明の効果】
【００１３】
本発明によれば、交流電源及び２次電池を併用する電子機器における消費電力を低減させた電子機器及びその制御方法、並びにプログラムを提供することができる。
【図面の簡単な説明】
【００１４】
【図１】本発明の実施の形態に係る画像処理装置の概略構成を示す図である。
【図２】図１におけるＡＣ電源部の変換効率を示す図である。
【図３】図１におけるソフトスイッチを押下したときの動作を設定するための設定画面を示す図である。
【図４】図３における「起動時刻の設定へ」ボタンをタッチしたときに表示される起動時刻設定画面を示す図である。
【図５】図３における「都度選択」ラジオボタンを選択したときに表示される設定画面を示す図である。
【図６】動作状態終了後の経過時間による移行に関する設定画面を示す図である。
【図７】図１における電源制御部により実行される電源制御処理の手順を示すフローチャートである（その１）。
【図８】図１における電源制御部により実行される電源制御処理の手順を示すフローチャートである（その２）。
【図９】図１におけるＣＰＵにより実行される電源制御処理の手順を示すフローチャートである。
【発明を実施するための形態】
【００１５】
以下、本発明の実施の形態について図面を参照しながら詳述する。なお、本実施の形態では、本発明に係る電子機器を画像処理装置に適用した実施の形態について説明する。
【００１６】
まず、本実施の形態に係る画像処理装置の説明で用いられる画像処理装置の稼働状態について説明する。
【００１７】
本実施の形態に係る画像処理装置の稼働状態は、以下の（１）〜（７）に示される７つの状態に分類されている。
（１）動作状態：プリントやスキャンなどを実行している状態
（２）スタンバイ状態：動作状態ではないがすぐにプリントやスキャンの実行が可能な状態
（３）ＬＡＮ／ＦＡＸ有効待機状態：ネットワークからの自機宛パケットの受信機能及びＦＡＸの着信検知機能以外を停止させて、消費電力を下げた状態
（４）ＦＡＸ有効待機状態：ＬＡＮ／ＦＡＸ有効待機状態からネットワーク機能をオフにし、さらに消費電力を下げた状態
（５）高速起動待機状態：ＦＡＸ有効待機状態からＦＡＸ機能をオフし、オフ状態からの起動時間よりも起動時間を短くした状態
（６）タイマー起動待機状態：ネットワーク機能、ＦＡＸ機能、高速起動機能はオフで、設定した時刻に自動起動が可能な状態
（７）オフ状態：全ての機能をオフした電力を消費しない状態
以上説明した７つの状態を用いて、本実施の形態に係る画像形成装置について説明する。
【００１８】
図１は、本発明の実施の形態に係る画像処理装置１００の概略構成を示す図である。
【００１９】
図１において、プラグ１６１は、１００Ｖ〜２３０Ｖの交流商用電源に接続するためのものである。主電源スイッチ１２１は、使用者が操作するものであり、押下時のみオンとなり、離すとオフとなるように作用するスイッチである。このスイッチに代えて、ソレノイドが内蔵されており、それを励磁することでオフすることができるリセット機能付いたのスイッチでもよい。リレー１２２は電気的に制御が可能であり、定常時に電力を消費しないラッチングリレーから構成される。
【００２０】
ＡＣ電源部１０１は、ＡＣ入力から電力制御回路を含む画像処理装置１００で使用するＤＣ電源を生成する。すなわち、ＡＣ電源部１０１は、交流電源（ＡＣ入力）から供給される交流電流を直流電流に変換する変換手段に対応する。
【００２１】
このＡＣ電源部１０１は、電圧３．３Ｖの電源Ａ１６２を生成する。またＡＣ電源部１０１は、入力されるＡＣ電源からＤＣ電源を生成する際には、変換時の損失のために変換効率は１００％とならない。さらに変換後の電力消費量が小さい時は特に効率が悪いことが一般的である。
【００２２】
図２は、図１におけるＡＣ電源部１０１の変換効率を示す図である。
【００２３】
図２において、ＤＣ２次側の消費電力が４ワットのときの効率は８０％、同じくＤＣ２次側の消費電力が０．２５ワットのときの効率は５０％である。また、ＤＣ２次側で全く消費していない状態でもＡＣ電源が入力されていると０．２ワットの電力を消費する。
【００２４】
図１に戻り、２次電池１０２は、ＡＣ電源部１０１により変換された直流電流を用いて充電する。また、２次電池１０２は、リチウムイオン電池やニッケル水素電池など、充電して繰り返し使用可能な電池である。２次電池は一般的に充電時と放電時に多少の電力損失があり、充電時に必要とする電力に比べて放電時に取り出せる電力が減少してしまうという性質を持っている。本実施の形態における２次電池１０２の充放電効率は８０％としている。
【００２５】
また、本実施の形態では、ＡＣ電源部１０１のＡＣ／ＤＣ変換効率が良い時に充電を実施することとしている。例えばＡＣ／ＤＣ変換効率８０％のときに充電を実施すると２次電池のトータルの使用効率は、ＡＣ／ＤＣ変換効率８０％と充放電効率８０％を掛けた約６４％となる。
【００２６】
充電回路１１１は、２次電池１０２の充電を行う。この充電回路１１１は、電源Ａ１６２を電力源にした定電流回路であり、主にトランジスタと抵抗器などで構成される。また、ＣＰＵ１４２から出力される信号１７９により充電開始及び停止の制御がなされるとともに、自ら２次電池の過充電を検出して充電を停止する機能を有する。また、電源制御部１４１は、信号１７７により２次電池１０２の出力電圧を監視できる。
【００２７】
降圧回路１１３は、３．３Ｖ電圧の電源Ａ１６２より、ＤＲＡＭ１４５の動作電圧である２．５Ｖを生成する。昇圧回路１１４は、２次電池１０２の出力電圧である１．２ＶからＤＲＡＭ１４５の動作電圧である２．５Ｖを生成する。昇圧回路１１５は、出力１７２から、電源制御部１４１、ネットワーク制御部１４６、及びＦＡＸ制御部１４７の動作電圧である３．３Ｖを生成する。
【００２８】
ＦＥＴ１２３，１２４，１２５，１２６，１２７，１３１，１３４，１３５，１３６，１３７は電気的制御が可能なスイッチである。
【００２９】
このうち、ＦＥＴ１２３は、電源Ａ１６２と電源Ｂ１６３間の接続及び切断を行う。ＦＥＴ１２４は、降圧回路１１３の出力１７６と電源Ｄ１６４間の接続及び切断を行う。ＦＥＴ１２５は、電源Ａ１６２と電源Ｎ１６５間の接続及び切断を行う。ＦＥＴ１２６は、電源Ａ１６２と電源Ｌ１６６間の接続及び切断を行う。ＦＥＴ１２７は、電源Ａ１６２と電源Ｆ１６７間の接続及び切断を行う。
【００３０】
ＦＥＴ１３１は、２次電池１０２からの出力１７１と昇圧回路１１４，１１５の接続及び切断を行う。ＦＥＴ１３４は、昇圧回路１１４の出力１７５と電源Ｄ１６４間の接続及び切断を行う。ＦＥＴ１３５は、昇圧回路１１５の出力１７４と電源Ｎ１６５間の接続及び切断を行う。ＦＥＴ１３６は、昇圧回路１１５の出力１７４と電源Ｌ１６６間の接続及び切断を行う。ＦＥＴ１３７は、昇圧回路１１５の出力１７４と電源Ｆ１６７間の接続及び切断を行う。
【００３１】
電源制御部１４１は、リレー１２２、ＦＥＴ１２３，１２４，１２５，１２６，１２７，１３１，１３４，１３５，１３６，１３７を制御する。
【００３２】
また、２次電池には出力電圧と充電容量に相関関係があるため、電源制御部１４１は、２次電池１０２の出力電圧を監視しており、２次電池の容量低下を検出することが可能である。本実施の形態における電源制御部１４１の消費電力は、約０．０２Ｗとする。電源制御部１４１の動作の詳細については後述する。
【００３３】
ＣＰＵ１４２は、電源制御部１４１、ネットワーク制御部１４６，ＦＡＸ制御部１４７など、画像処理装置１００の全てを制御し、電源Ｂ１６３より給電される。そしてＣＰＵ１４２は、ＲＯＭ１４３、フラッシュメモリ１４４、ＤＲＡＭ１４５、ネットワーク制御部１４６、及びＦＡＸ制御部１４７と、それぞれバス１８１，１８２，１８３，１８４，１８５で接続されている。また、ＣＰＵ１４２は、ＲＯＭ１４３やＤＲＡＭ１４５に記憶されているプログラムによって動作する。
【００３４】
また、ＣＰＵ１４２は消費電力が比較的大きいため、本実施の形態においては画像処理装置１００の待機状態では、ＣＰＵ１４２に給電している電源Ｂ１６３を停止することで省電力化している。
【００３５】
１次電池１０３は、乾電池やリチウム電池などの電池である。時計ＩＣ１４８は、１次電池１０３で給電される。また、時計ＩＣ１４８は、ＡＣ電源をオフにしても１次電池１０３の出力１６９により常に動作するようになっている。さらに、時計ＩＣ１４８は、現在の日時、曜日、時刻を計時するだけでなく、設定した時刻に割り込み信号を出力するアラーム機能や設定した時間後に割り込み信号を出力するタイマー機能を有している。
【００３６】
ＲＯＭ１４３は、ＣＰＵ１４２の起動プログラムが記憶されている。フラッシュメモリ１４４は、電気的に書き換え可能な不揮発性メモリであり、ＣＰＵ１４２によって書き換えが可能である。ここには、画像処理装置１００の制御プログラムが記憶されている。
【００３７】
ＤＲＡＭ１４５には、画像処理装置１００の制御プログラムがフラッシュメモリ１４４から展開され、ＣＰＵ１４２は、この展開された制御プログラムを実行する。また、ＤＲＡＭ１４５は、画像データの記憶やＣＰＵ１４２のワークメモリとしても利用される。
【００３８】
またＤＲＡＭ１４５は、ＦＥＴ１２４またはＦＥＴ１３４により出力される電源Ｄ１６４を電源として動作する。そして、ＤＲＡＭ１４５は、画像処理装置１００におけるＬＡＮ／ＦＡＸ有効待機状態、ＦＡＸ有効待機状態、高速起動待機状態時には、消費電力の小さいセルフリフレッシュモードでデータを保持する。本実施の形態におけるセルフリフレッシュモードのＤＲＡＭ１４５の消費電力は、約０．１８Ｗとする。
【００３９】
インターフェース信号１８９は、ＣＰＵ１４２が時計ＩＣ１４８の設定、及び時計情報を読み出すため信号である。時計アラーム信号１８８は、時計ＩＣ１４８が出力する信号であり、ＣＰＵ１４２が時計ＩＣ１４８に予め設定した時刻になると時計アラーム信号１８８が出力される。
【００４０】
ネットワーク制御部１４６は、外部のネットワークとの通信制御を行う。ネットワーク制御部１４６は、ＬＡＮ／ＦＡＸ有効待機状態時には、ＣＰＵ１４２と通信を行う部分に電源を供給する電源Ｂ１６３からの電源供給が停止される。
【００４１】
これにより、ネットワーク制御部１４６は、電源Ｎ１６５のみでネットワークの監視を行い、自機宛のパケットを受け取ると電源制御部１４１に対して通知する。本実施の形態におけるＬＡＮ／ＦＡＸ有効待機状態時のネットワーク制御部１４６の消費電力は、約０．４Ｗとしている。
【００４２】
ＦＡＸ制御部１４７は、公衆回線１０５とのファクシミリ通信制御を行う。ＦＡＸ制御部１４７は、ＦＡＸ有効待機状態時には、通信制御やＣＰＵ１４２と通信を行う部分に電源を供給する電源Ｂ１６３からの電源供給が停止される。
【００４３】
これにより、ＦＡＸ制御部１４７は、電源Ｆ１６７のみで公衆回線の監視を行い、自機宛の着信を受け取ると電源制御部１４１に対して通知する。なお本実施の形態におけるＦＡＸ有効待機状態時のネットワーク制御部１４６の消費電力は、約０．０５Ｗとしている。
【００４４】
動作状態移行指示信号群１５１〜１５５は、ＣＰＵ１４２が電源制御部１４１に対して出力する信号である。具体的に、各信号はＬＡＮ／ＦＡＸ有効待機状態移行信号１５１、ＦＡＸ有効待機状態移行信号１５２、高速起動待機状態移行信号１５３は、タイマー起動待機状態移行信号１５４は、オフ状態移行信号１５５である。
【００４５】
ソフトスイッチ１４９は、ＬＡＮ／ＦＡＸ有効待機状態、ＦＡＸ有効待機状態、高速起動待機状態、タイマー起動待機状態時に押下されると、電源制御部１４１に対してソフトスイッチ割り込み信号１８０を発生する。
【００４６】
また、スタンバイ状態時に押下された場合は、ＣＰＵ１４２に対してソフトスイッチ割り込み信号１８０を発生する。ＣＰＵ１４２は、ソフトスイッチ１４９からのソフトスイッチ割り込み信号１８０を受信すると、電源制御部１４１に対して、待機状態もしくはオフ状態への移行指示を出力する。
【００４７】
待機状態及びオフ状態のいずれに移行するかの区別は、予め設定された状態でも良いし、ソフトスイッチ１４９が押下時に図示しない操作部でユーザに選択させる方式でも良い。
【００４８】
この待機状態及びオフ状態への移行は、本実施の形態においては、ソフトスイッチ１４９の押下による移行と、動作状態終了後の経過時間による移行がある。
【００４９】
図３は、図１におけるソフトスイッチ１４９を押下したときの動作を設定するための設定画面を示す図である。
【００５０】
図３に示される設定画面は、タッチ操作によって設定可能な画面である。また、同図に示されるように、押下時間が２秒未満での移行と、２秒以上での移行についての２通りの設定ができる。
【００５１】
押下時間が２秒未満での移行については、「ＬＡＮ／ＦＡＸ有効待機状態」、「ＦＡＸ有効待機状態」、「高速起動待機状態」、「タイマー起動待機状態」、「都度選択」のうちの１つを選択可能で、ラジオボタン５０１をタッチすることで選択できる。
【００５２】
選択後にＯＫボタン５０５をタッチすると選択が設定に反映され、キャンセルボタン５０４をタッチすると選択したことがキャンセルされる。
【００５３】
なお、「タイマー起動待機状態」とは、毎日決まった時刻に自動起動させる機能であり、その起動時刻は「起動時刻の設定へ」ボタン５０２をタッチすることで設定できる。また一度設定すると、その設定時刻が起動時刻表示エリア５０３に反映される。
【００５４】
図４は、図３における「起動時刻の設定へ」ボタン５０２をタッチしたときに表示される起動時刻設定画面を示す図である。
【００５５】
図４において、起動時刻設定画面では、図示しないテンキーを用いて００：００から２３：５９の時刻が入力可能であり、入力した時刻がエリア７０１に表示される。そしてＯＫボタン７０３をタッチすると入力した時刻が設定に反映され、キャンセルボタン７０２をタッチすると入力した時刻がキャンセルされて元の画面に戻る。ここでの設定時刻は、ＣＰＵ１４２により時計ＩＣ１４８にアラーム発生時刻として設定される。
【００５６】
図３の説明に戻り、「都度選択」とは、ソフトスイッチ１４９を押下する毎に移行させる各待機状態及びオフ状態を選択することである。
【００５７】
図５は、図３における「都度選択」ラジオボタン５０１を選択したときに表示される設定画面を示す図である。
【００５８】
図５の設定画面において、移行させたい待機状態及びオフ状態のボタン８０１〜８０５をタッチすることで、直ちに選択した状態に移行する。また、ここでもタイマー起動待機状態の起動時刻を「起動時刻の設定へ」ボタン８０６をタッチすることで設定できる。なお、キャンセルボタン８０８がタッチされると、待機状態への移行はキャンセルされスタンバイ状態を維持する。
【００５９】
以上説明した内容がソフトスイッチ１４９の押下による待機状態及びオフ状態への移行の詳細である。
【００６０】
図６は、動作状態終了後の経過時間による移行に関する設定画面を示す図である。
【００６１】
図６において、設定画面のチェックボックス６０１をタッチすることで各待機状態移行の有効／無効の切り替えが可能である。有効にした項目に関しては、ダウンボタン６０２とアップボタン６０３によって、各状態に移行するまでの時間を入力できる。入力内容はエリア６０４に表示される。また、ここでもタイマー起動待機状態の起動時刻を「起動時刻の設定へ」ボタン６０５をタッチすることで設定できる。全ての入力が完了し、ＯＫボタン６０８がタッチされれば、入力内容が設定される。なお、キャンセルボタン６０７がタッチされると、入力内容はキャンセルされる。
【００６２】
以上説明した図１において、電力により動作する複数の装置には、ＣＰＵ１４２、ＲＯＭ１４３、フラッシュメモリ１４４、ＤＲＡＭ１４５、電源制御部１４１、ソフトスイッチ１４９、ネットワーク制御部１４６、ＦＡＸ制御部１４７が対応している。ここで列挙した装置により画像処理装置１００が構成される。
【００６３】
また、２次電池により電力が供給可能な一部の装置には、ＤＲＡＭ１４５、電源制御部１４１、ソフトスイッチ１４９、ネットワーク制御部１４６、ＦＡＸ制御部１４７が対応している。
【００６４】
さらに、一部の装置の各々に供給する電力を、ＡＣ電源部１０１により変換された直流電力によって供給するか、または２次電池１０２によって供給するかを、各々の装置ごとに切り替え可能な手段には、以下のＦＥＴが対応する。すなわち、ＦＥＴ１２３，１２４，１２５，１２６，１２７，１３４，１３５，１３６，１３７が対応する。
【００６５】
図７、図８は、図１における電源制御部１４１により実行される電源制御処理の手順を示すフローチャートである。なお、図７、図８では、高速起動待機状態移行信号などの信号を、高速起動待機状態移行というように、「信号」を省略して記載している。
【００６６】
図７、図８において、まずＦＥＴ１２３、１２４、１２５、１２６、１２７をオン状態に、リレー１２２及びＦＥＴ１３１、１３４、１３５、１３６、１３７はオフ状態になるように制御信号１９０〜１９９，１７８を出力する（ステップＳ１０１）。
【００６７】
次いで、ユーザによって主電源スイッチ１２１がオンされ電源Ｌ１６６が供給されると（ステップＳ１０２でＹＥＳ）、リレー１２２をオンにする（ステップＳ１０３）。
【００６８】
そして、ＣＰＵ１４２からＬＡＮ／ＦＡＸ有効待機状態移行信号を受信したか否か判別する（ステップＳ１０４）。ステップＳ１０４の判別の結果、ＬＡＮ／ＦＡＸ有効待機状態移行信号を受信していないときは（ステップＳ１０４でＮＯ）、高速起動待機状態移行信号を受信したか否か判別する（ステップＳ１０５）。
【００６９】
ステップＳ１０５の判別の結果、高速起動待機状態移行信号を受信していないときは（ステップＳ１０５でＮＯ）、ＦＡＸ有効待機状態移行信号を受信したか否か判別する（ステップＳ１０６）。
【００７０】
ステップＳ１０６の判別の結果、ＦＡＸ有効待機状態移行信号を受信していないときは（ステップＳ１０６でＮＯ）、タイマー起動待機状態移行信号を受信したか否か判別する（ステップＳ１０７）。
【００７１】
ステップＳ１０７の判別の結果、タイマー起動待機状態移行信号を受信していないときは（ステップＳ１０７でＮＯ）、オフ状態移行信号を受信したか否かを判別する（ステップＳ１０８）。
【００７２】
ステップＳ１０８の判別の結果、オフ状態移行信号を受信していないとき（ステップＳ１０８でＮＯ）、上記ステップＳ１０４に戻る。なお、ステップＳ１０４からＳ１０８のＩＦ文の実行順序は順不同でよい。
【００７３】
上記ステップＳ１０４の判別の結果、ＬＡＮ／ＦＡＸ有効待機状態移行信号を受信したときは（ステップＳ１０４でＹＥＳ）、ＦＥＴ１２３をオフにする（ステップＳ１０９）。これにより電源Ｂ１６３がオフとなり、ＣＰＵ１４２、ＲＯＭ１４３、フラッシュメモリ１４４、ネットワーク制御部１４６の自機宛パケットを検出する以外の部分、及びＦＡＸ制御部１４７の着信検知以外の部分への給電が遮断され、消費電力が低減する。
【００７４】
次いで、ネットワーク制御部１４６によって自機宛パケットが検出された際に出力されるネットワーク復帰信号１８６を受信したか否かを判別する（ステップＳ１２１）。
【００７５】
ステップＳ１２１の判別の結果、ネットワーク復帰信号１８６を受信したときは（ステップＳ１２１でＹＥＳ）、ＦＥＴ１２３、１２４、１２５、１２６、１２７をオンし、ＦＥＴ１３１、１３４、１３５、１３６、１３７をオフし（ステップＳ１３８）、Ｓ１０４に戻る。
【００７６】
一方、ステップＳ１２１の判別の結果、ネットワーク復帰信号１８６を受信していないときは（ステップＳ１２１でＮＯ）、ＦＡＸ制御部１４７によって着信を検知した際に出力されるＦＡＸ着信復帰信号１８７を受信したか否かを判別する（ステップＳ１２２）。
【００７７】
ステップＳ１２２の判別の結果、ＦＡＸ着信復帰信号１８７を受信したときは（ステップＳ１２２でＹＥＳ）、上記ステップＳ１３８に進む。
【００７８】
一方、ＦＡＸ着信復帰信号１８７を受信していないときは（ステップＳ１２２でＮＯ）、時計ＩＣ１４８に予め設定された時刻になった際に出力される時計アラーム信号１８８を受信したか否かを判別する（ステップＳ１２３）。
【００７９】
ステップＳ１２３の判別の結果、時計アラーム信号１８８を受信したときは（ステップＳ１２３でＹＥＳ）、上記ステップＳ１３８に進む。
【００８０】
一方、時計アラーム信号１８８を受信していないときは（ステップＳ１２３でＮＯ）、ソフトスイッチ１４９が押下された際に出力されるソフトスイッチ割り込み信号１８０を受信したか否かを判別する（ステップＳ１２４）。
【００８１】
ステップＳ１２４の判別の結果、ソフトスイッチ割り込み信号１８０を受信したときは（ステップＳ１２４でＹＥＳ）、上記ステップＳ１３８に進む。
【００８２】
一方、ソフトスイッチ割り込み信号１８０を受信していないときは（ステップＳ１２４でＮＯ）、ステップＳ１２１に戻る。
【００８３】
なお、ステップＳ１２１からＳ１２４のＩＦ文の実行順序は順不同でよい。
【００８４】
上記ステップＳ１０５の判別の結果、高速起動待機状態移行信号を受信したときは（ステップＳ１０５でＹＥＳ）、ＦＥＴ１２３、１２５、１２７をオフにする（ステップＳ１１０）。これにより電源Ｂ１６３と電源Ｎ１６５と電源Ｆ１６７がオフとなり、ＣＰＵ１４２、ＲＯＭ１４３、フラッシュメモリ１４４、ネットワーク制御部１４６、ＦＡＸ制御部１４７への給電が遮断され、消費電力がさらに低減する。
【００８５】
次いで、時計ＩＣ１４８に予め設定された時刻になった際に出力される時計アラーム信号１８８を受信したか否かを判別する（ステップＳ１２０）。
【００８６】
ステップＳ１２０の判別の結果、時計アラーム信号１８８を受信したときは（ステップＳ１２０でＹＥＳ）、上記ステップＳ１３８に進む。
【００８７】
一方、時計アラーム信号１８８を受信していないときは（ステップＳ１２０でＮＯ）、ソフトスイッチ１４９が押下された際に出力されるソフトスイッチ割り込み信号１８０を受信したか否かを判別する（ステップＳ１２５）。ソフトスイッチ割り込み信号１８０を受信すると（ステップＳ１２５でＹＥＳ）、上記ステップＳ１３８に進む。
【００８８】
上記ステップＳ１０６の判別の結果、ＦＡＸ有効待機状態移行信号を受信したときは（ステップＳ１０６でＹＥＳ）、ＦＥＴ１３１、１３７をオンにし、ＦＥＴ１２３、１２５、１２７をオフにする（ステップＳ１１１）。これにより電源Ｆ１６７の電力供給元がＡＣ電源部１０１から２次電池１０２へ切り替わる。また、電源Ｂ１６３と電源Ｎ１６５がオフとなり、ＣＰＵ１４２、ＲＯＭ１４３、フラッシュメモリ１４４、ネットワーク制御部１４６、ＦＡＸ制御部１４７の着信検知以外の部分への給電が遮断され、消費電力が低減する。
【００８９】
次いで、２次電池１０２の出力電圧を監視し、充電容量が予め定められた値より低下したか否かを判別する（ステップＳ１２６）。ステップＳ１２６の判別の結果、充電容量が予め定められた値より低下したときは（ステップＳ１２６でＹＥＳ）、ＦＥＴ１２７をオンにし、ＦＥＴ１３７、１３１をオフにし（ステップＳ１２７）、ステップＳ１２８に進む。これにより電源Ｆ１６７の電力供給元が２次電池１０２からＡＣ電源部１０１へ切り替わる。
【００９０】
一方、充電容量が低下していないときは（ステップＳ１２６でＮＯ）、ＦＡＸ制御部１４７によって着信を検知した際に出力されるＦＡＸ着信復帰信号１８７を受信したか否かを判別する（ステップＳ１２８）。
【００９１】
ステップＳ１２８の判別の結果、ＦＡＸ着信復帰信号１８７を受信したときは（ステップＳ１２８でＹＥＳ）、上記ステップＳ１３８に進む。
【００９２】
一方、ＦＡＸ着信復帰信号１８７を受信しなかったときは（ステップＳ１２８でＮＯ）、時計ＩＣ１４８に予め設定された時刻になった際に出力される時計アラーム信号１８８を受信したか否かを判別する（ステップＳ１２９）。
【００９３】
ステップＳ１２９の判別の結果、時計アラーム信号１８８を受信したときは（ステップＳ１２９でＹＥＳ）、上記ステップＳ１３８に進む。
【００９４】
一方、時計アラーム信号１８８を受信していないときは（ステップＳ１２９でＮＯ）、ソフトスイッチ１４９が押下された際に出力されるソフトスイッチ割り込み信号１８０を受信したか否かを判別する（ステップＳ１３０）。
【００９５】
ステップＳ１３０の判別の結果、ソフトスイッチ割り込み信号１８０を受信したときは（ステップＳ１３０でＹＥＳ）、上記ステップＳ１３８に進む。
【００９６】
一方、ソフトスイッチ割り込み信号１８０を受信していないときは（ステップＳ１３０でＮＯ）、ＦＥＴ１３１がオフか否かを判別する（ステップＳ１３１）。ステップＳ１３１の判別の結果、ＦＥＴ１３１がオフのときは（ステップＳ１３１でＹＥＳ）、ステップＳ１２８へ進み、ＦＥＴ１３１がオフではないときは（ステップＳ１３１でＮＯ）、ステップＳ１２６に進む。
【００９７】
なお、ステップＳ１２８からＳ１３０のＩＦ文の実行順序は順不同でよい。
【００９８】
上記ステップＳ１０７の判別の結果、タイマー起動待機状態移行信号を受信したときは（ステップＳ１０７でＮＯ）、ＦＥＴ１３１、１３６をオンにし、リレー１２２及びＦＥＴ１２３、１２４、１２５、１２６、１２７をオフにする（ステップＳ１１２）。これにより電源Ｌ１６６の電力供給元がＡＣ電源部１０１から２次電池１０２へ切り替わる。また、電源Ｌ１６６以外の全ての電源がオフとなり、電源制御部１４１以外の部分への給電が遮断され（但し１次電池１０３給電の時計ＩＣ１４８は除く）、消費電力が低減する。特にこの状態では、リレー１２２もオフとなるため、商用電源の電力消費がなくなる。
【００９９】
次いで、２次電池の出力電圧を監視し、充電容量が予め定められた値より低下したか否かを判別する（ステップＳ１３２）。ステップＳ１３２の判別の結果、充電容量が予め定められた値より低下したときは（ステップＳ１３２でＹＥＳ）、リレー１２２及びＦＥＴ１２６をオンにし、ＦＥＴ１３６、１３１をオフにし（ステップＳ１３３）、ステップＳ１３４に進む。これにより電源Ｌ１６６の電力供給元が２次電池１０２からＡＣ電源部１０１へ切り替わる。
【０１００】
一方、充電容量が低下していないときは（ステップＳ１３２でＮＯ）、時計ＩＣ１４８に予め設定された時刻になった際に出力される時計アラーム信号１８８を受信したか否かを判別する（ステップＳ１３４）。
【０１０１】
ステップＳ１３４の判別の結果、時計アラーム信号１８８を受信したときは（ステップＳ１３４でＹＥＳ）、リレー１２２をオンにし（ステップＳ１３７）、ステップＳ１３８に進む。
【０１０２】
一方、時計アラーム信号１８８を受信しなかったときは（ステップＳ１３４でＮＯ）、ソフトスイッチ１４９が押下された際に出力されるソフトスイッチ割り込み信号１８０を受信したか否かを判別する（ステップＳ１３５）。
【０１０３】
ステップＳ１３５の判別の結果、ソフトスイッチ割り込み信号１８０を受信したときは（ステップＳ１３５でＹＥＳ）、上記ステップＳ１３７に進む。
【０１０４】
一方、ソフトスイッチ割り込み信号１８０を受信していないときは（ステップＳ１３５でＮＯ）、ＦＥＴ１３１がオフか否かを判別する（ステップＳ１３６）。
【０１０５】
ステップＳ１３６の判別の結果、ＦＥＴ１３１がオフのときは（ステップＳ１３６でＹＥＳ）、ステップＳ１３４に進み、ＦＥＴ１３１がオフではないときは（ステップＳ１３６でＮＯ）、ステップＳ１３２に進む。
【０１０６】
なお、ステップＳ１３４、Ｓ１３５のＩＦ文の実行順序は順不同でよい。
【０１０７】
上記ステップＳ１０８の判別の結果、オフ状態移行信号を受信したとき（ステップＳ１０８でＹＥＳ）、リレー１２２をオフして（ステップＳ１１３）。本処理を終了する。これにより、画像処理装置１００は、完全に停止する。
【０１０８】
図７、図８の電源制御処理に示されるように、電源制御部１４１は一部の装置のうち、動作させる装置全体で必要となる消費電力となるように直流電流によって電力を供給した場合のＡＣ電源部１０１の変換効率、及び２次電池１０２によって電力を供給した場合の電力使用効率のうち、効率の良い方から電力を供給するように各ＦＥＴを制御する。これにより、交流電源及び２次電池を併用する電子機器における消費電力を低減させることができる。
【０１０９】
図９は、図１におけるＣＰＵ１４２により実行される電源制御処理の手順を示すフローチャートである。
【０１１０】
図９において、電源Ｂ１６３がＣＰＵ１４２に供給されると（ステップＳ２０１でＹＥＳ）、ＲＯＭ１４３の起動プログラムを実行することでブートする（ステップＳ２０２）。
【０１１１】
次いで、ＤＲＡＭ１４５に記憶されたデータが有効か否かを判別する（ステップＳ２０３）。判別する方法としては、電源Ｌ１６６または電源Ｄ１６４で保持する図示しないフリップフロップにＣＰＵ１４２から設定しておく方法などがある。例えばフリップフロップが“１”にセットされている場合は、有効とし、“０”の場合は無効とする。
【０１１２】
ステップＳ２０３の判別の結果、データが有効のときは（ステップＳ２０３でＹＥＳ）、ステップＳ２０５に進む。一方、データが無効のときは（ステップＳ２０３でＮＯ）、フラッシュメモリ１４４から、制御プログラムを読み出し、これをＤＲＡＭ１４５に展開する（ステップＳ２０４）。そしてＤＲＡＭ１４５内のデータが有効であることを示すために、前記フリップフロップに“１”をセットする。
【０１１３】
次いで、ＤＲＡＭ１４５に展開した制御プログラムを実行する（ステップＳ２０５）。なお、ステップＳ２０３で有効と判別されたときは、ステップＳ２０４を省略するので、ステップＳ２０４の処理する時間がなくなるため起動時間が短縮できる。また、ステップＳ２０５では、充電回路１１１の制御も行い、２次電池１０２の充電容量が十分でない場合は、充電を行う。
【０１１４】
次いで、ＬＡＮ／ＦＡＸ有効待機状態移行条件が成立するか否かを判別する（ステップＳ２０６）。ＬＡＮ／ＦＡＸ有効待機状態移行条件とは、次の４つの場合がある。
・図３におけるソフトスイッチの設定で「ＬＡＮ／ＦＡＸ有効待機状態」が選択された状態でソフトスイッチ１４９が２秒未満押下された場合。
・図３におけるソフトスイッチの設定の押下時間２秒未満の項目で「都度選択」が選択された状態でソフトスイッチ１４９が２秒未満押下され、図５の待機状態／オフ状態への移行画面で「ＬＡＮ／ＦＡＸ有効待機状態」８０１がタッチされた場合。
・図３におけるソフトスイッチの設定の押下時間２秒以上の項目で「都度選択」が選択された状態でソフトスイッチ１４９が２秒以上押下され、図５の待機状態／オフ状態への移行画面で「ＬＡＮ／ＦＡＸ有効待機状態」８０１がタッチされた場合。
・図６の待機状態移行時間の設定で「ＬＡＮ／ＦＡＸ有効待機状態」の有効設定と時間が設定され、動作状態が終了してからの経過時間が前記設定した時間に一致した場合。
【０１１５】
なお、高速起動移行条件、ＦＡＸ有効待機状態移行条件、タイマー起動待機状態移行条件も同様であるため説明は割愛する。
【０１１６】
また、オフ状態移行条件とは、次の４つの場合がある。
・図３におけるソフトスイッチの設定で「オフ」が選択された状態でソフトスイッチ１４９が２秒以上押下された場合。
・図３におけるソフトスイッチの設定の押下時間２秒未満の項目でで「都度選択」が選択された状態でソフトスイッチ１４９が２秒未満押下され、図５の待機状態／オフ状態への移行画面で「オフ」８０１がタッチされた場合。
・図３におけるソフトスイッチの設定の押下時間２秒以上の項目でで「都度選択」が選択された状態でソフトスイッチ１４９が２秒以上押下され、図５の待機状態／オフ状態への移行画面で「オフ」８０１がタッチされた場合。
・図６の待機状態移行時間の設定で「オフ」の有効設定と時間が設定され、動作状態が終了してからの経過時間が前記設定した時間に一致した場合。
【０１１７】
ステップＳ２０６の判別の結果、ＬＡＮ／ＦＡＸ有効待機状態移行条件が成立したときは（ステップＳ２０６でＹＥＳ）、ＬＡＮ／ＦＡＸ有効待機状態移行処理を行う（ステップＳ２１１）。具体的には、ネットワーク制御部１４６に対して自機宛パケット検出時にネットワーク復帰信号１８６を出力させる処理、ＦＡＸ制御部１４７に対して着信検知時にＦＡＸ着信復帰信号１８７出力させる処理である。また、他の待機状態及びオフ状態移行が有効になっている場合にその設定時刻までの時間を時計ＩＣ１４８に設定する処理、ＣＰＵ１４２の内部レジスタの退避などのＣＰＵシャットダウン処理等を行う。
【０１１８】
次いで、ＤＲＡＭ１４５をセルフリフレッシュモードに変更し（ステップＳ２１６）、ＬＡＮ／ＦＡＸ有効待機状態移行信号１５１を送信し（ステップＳ２２０）、本処理を終了する。これにより、ＣＰＵ１４２への電力供給が遮断される。
【０１１９】
上記ステップＳ２０６の判別の結果、ＬＡＮ／ＦＡＸ有効待機状態移行条件が成立しなかったときは（ステップＳ２０６でＮＯ）、高速起動待機状態移行条件が成立するか否かを判別する（ステップＳ２０７）。
【０１２０】
ステップＳ２０７の判別の結果、高速起動待機状態移行条件が成立するときは（ステップＳ２０７でＹＥＳ）、高速起動待機状態移行処理を行う（ステップＳ２１２）。具体的には、他の待機状態及びオフ状態移行が有効になっている場合にその設定時刻までの時間を時計ＩＣ１４８に設定する処理、ＣＰＵ１４２の内部レジスタの退避などのＣＰＵシャットダウン処理等を行う。
【０１２１】
次いで、ＤＲＡＭ１４５をセルフリフレッシュモードに変更し（ステップＳ２１７）、高速起動待機状態移行信号１５３を送信し（ステップＳ２２１）、本処理を終了する。これにより、ＣＰＵ１４２への電力供給が遮断される。
【０１２２】
上記ステップＳ２０７の判別の結果、高速起動待機状態移行条件が成立しなかったときは（ステップＳ２０７でＮＯ）、ＦＡＸ有効待機状態移行条件が成立するか否かを判別する（ステップＳ２０８）。
【０１２３】
ステップＳ２０８の判別の結果、ＦＡＸ有効待機状態移行条件が成立するときは（ステップＳ２０８でＹＥＳ）、ＦＡＸ有効待機状態移行処理を行う（ステップＳ２１３）。具体的には、ＦＡＸ制御部１４７に対して着信検知時にＦＡＸ着信復帰信号１８７出力させる処理である。また、他の待機状態及びオフ状態移行が有効になっている場合にその設定時刻までの時間を時計ＩＣ１４８に設定する処理、ＣＰＵ１４２の内部レジスタの退避などのＣＰＵシャットダウン処理等を行う。
【０１２４】
次いで、ＤＲＡＭ１４５をセルフリフレッシュモードに変更し（ステップＳ２１８）、ＦＡＸ有効待機状態移行信号１５２を送信し（ステップＳ２２２）、本処理を終了する。これにより、ＣＰＵ１４２への電力供給が遮断される。
【０１２５】
上記ステップＳ２０８の判別の結果、ＦＡＸ有効待機状態移行条件が成立しないときは（ステップＳ２０８でＮＯ）、タイマー起動待機状態移行条件が成立するか否かを判別する（ステップＳ２０９）。
【０１２６】
ステップＳ２０９の判別の結果、タイマー起動待機状態移行条件が成立するときは（ステップＳ２０９でＹＥＳ）、タイマー起動待機状態移行処理を行う（ステップＳ２１４）。具体的には、他の待機状態及びオフ状態移行が有効になっている場合にその設定時刻までの時間を時計ＩＣ１４８に設定する処理、ＣＰＵ１４２の内部レジスタの退避などのＣＰＵシャットダウン処理等を行う。
【０１２７】
次いで、タイマー起動待機状態移行信号１５４を送信し（ステップＳ２２３）、本処理を終了する。これにより、ＣＰＵ１４２への電力供給が遮断される。
【０１２８】
上記ステップＳ２０９の判別の結果、タイマー起動待機状態移行条件が成立しないときは（ステップＳ２０９でＮＯ）、オフ状態移行条件が成立するか否かを判別する（ステップＳ２１０）。
【０１２９】
ステップＳ２１０の判別の結果、オフ状態移行条件が成立するときは（ステップＳ２１０でＹＥＳ）、オフ状態移行信号１５５を送信し（ステップＳ２１５）、本処理を終了する。これにより、ＣＰＵ１４２への電力供給が遮断される。
【０１３０】
一方、オフ状態移行条件が成立しないときは（ステップＳ２１０でＮＯ）、上記ステップＳ２０６に戻る。
【０１３１】
なお、ステップＳ２０６からＳ２１０のＩＦ文の実行順序は順不同でよい。
【０１３２】
図７〜図９の電源制御処理によれば、ＬＡＮ／ＦＡＸ有効待機状態では、ＤＣ２次側の消費電力が０．６５Ｗであり、そのときのＡＣ電源部１０１のＡＣ／ＤＣ変換効率は７２％である。この数値は、２次電池１０２の電力使用効率６４％よりも良いため、２次電池１０２を使用しない方が充電時を含めた総合的な消費電力は低減できる。
【０１３３】
ＦＡＸ有効待機状態では、ＤＣ２次側の消費電力が０．２５Ｗであり、その時のＡＣ電源部１０１のＡＣ／ＤＣ変換効率は５０％であるため、２次電池１０２を使用した方が有利となる。しかしながら、全ての電力を２次電池１０２で賄うには、大容量で高価な２次電池が必要となってしまうので、ＦＡＸ制御部の着信検知部分の０．０５Ｗ分のみに２次電池を使用することで効果的に消費電力の低減が可能となる。
【０１３４】
高速起動待機状態では、ＤＣ２次側の消費電力が０．２Ｗであり、その時のＡＣ電源部１０１のＡＣ／ＤＣ変換効率が４４％であるため、２次電池１０２を使用した方が有利となる。しかしながら、その状態での電力供給先が電源制御部１４１の０．０２ＷとＤＲＡＭ１４５の０．１８Ｗであり、ＤＲＡＭ１４５の０．１８Ｗ分の電力を賄うには、大容量で高価な２次電池が必要となってしまう。
【０１３５】
また、電源制御部１４１の０．０２Ｗ分だけ２次電池１０２を使用するのは、ＡＣ電源部１０１のＡＣ／ＤＣ変換効率もその分悪くなってしまうので、２次電池１０２を使用しない方が消費電力の低減が可能となる。
【０１３６】
タイマー起動待機状態では、ＤＣ２次側の消費電力が約０．０２Ｗであり、この時のＡＣ電源部１０１のＡＣ／ＤＣ変換効率は８％であり全ての電力に２次電池１０２を使用し、ＡＣ電源部へのＡＣ電源を、リレー１２２をオフにして遮断することで消費電力の低減が可能となる。
【０１３７】
以上説明したように、通信機能を停止できる複数の待機状態を持ち、その状態でのＡＣ電源部のＡＣ／ＤＣ変換効率と２次電池の電力使用効率とを比較して有利となる場合に２次電池を使用することで使用者の使い勝手を損なわずに、消費電力を低減することが可能となる。
【０１３８】
特にＡＣ電源部のＡＣ／ＤＣ変換効率が悪いタイマー起動待機状態時に２次電池の電力を使用し、ＡＣ電源部をオフすることでより消費電力を大幅に低減することが可能となる。
【０１３９】
以上説明した実施の形態において、ＲＯＭ１４３は、ＲＯＭに限定されず、フラッシュメモリなどの電気的に書き換え可能な不揮発性メモリでもよい。また、ＣＰＵ１４２の起動プログラムの記憶先をＲＯＭ１４３と説明したが、ＲＯＭ１４３を使用せずにフラッシュメモリ１４４に記憶してもよい。その場合ＣＰＵ１４２は、フラッシュメモリ１４４の起動プログラムにより起動する。
【０１４０】
画像処理装置１００の制御プログラムの記憶先として、不揮発性メモリを用いたが、ハードディスク等の記憶装置でも良い。
【０１４１】
各待機状態及びオフ状態への移行条件は、ソフトスイッチ１４９の押下時もしくは動作状態が終了してからの経過時間が予め設定した時間になったときと説明したが、予め設定した時刻になった時に移行してもよい。さらにネットワーク１０４に接続された図示しない情報処理装置からの指示で移行してもよい。起動時間の設定時刻は１種類として説明したが、例えば曜日毎の７種類の設定でもよい。
【０１４２】
ＦＡＸ制御部１４７にてファクシミリの通信制御を行うとしたが、必ずしもＦＡＸ制御部が必要ではなく、ＦＡＸ制御部がなくてもよい。その場合は、ＬＡＮ／ＦＡＸ有効待機状態はＬＡＮ有効待機状態となり、ＦＡＸ有効待機状態はなくなる。
【０１４３】
ＬＡＮ／ＦＡＸ有効待機状態と高速起動待機状態では、２次電池１０２を使用しないとし、ＦＡＸ有効待機状態ではＦＡＸ制御部１４７に、タイマー起動待機状態では電源制御部１４１に２次電池１０２を使用するとした。
【０１４４】
しかしながら、ＡＣ電源部１０１のＡＣ／ＤＣ変換効率、２次電池１０２の電力使用効率、電源制御部１４１の電力消費量、ＤＲＡＭ１４５の電力消費量、ネットワーク制御部１４６の電力消費量、ＦＡＸ制御部の電力消費量は一例である。
【０１４５】
そのため、各待機状態における２次電池１０２を使用／未使用及び２次電池１０２より電力供給するブロックはこれに限定されない。例えば、ネットワーク制御部１４６の電力消費量が低い場合は、ＬＡＮ／ＦＡＸ有効待機状態において、２次電池を使用しても良い。
【０１４６】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１４７】
１００  画像処理装置
１０１  ＡＣ電源部
１０２  ２次電池
１０３  １次電池
１１１  充電回路
１１３  降圧回路
１１４，１１５  昇圧回路
１２１  主電源スイッチ
１２２  リレー
１２３，１２４，１２５，１２６，１２７，１３１，１３４，１３５，１３６，１３７  ＦＥＴ
１４１  電源制御部
１４２  ＣＰＵ
１４３  ＲＯＭ
１４４  フラッシュメモリ
１４５  ＤＲＡＭ
１４６  ネットワーク制御部
１４７  ＦＡＸ制御部
１４８  時計ＩＣ
１６１  プラグ
【図１】
0005995436.tif 000002
【図２】
0005995436.tif 000003
【図３】
0005995436.tif 000004
【図４】
0005995436.tif 000005
【図５】
0005995436.tif 000006
【図６】
0005995436.tif 000007
【図７】
0005995436.tif 000008
【図８】
0005995436.tif 000009
【図９】
0005995436.tif 000010